(57)【要約】【課題】ターボチャージャーを備えるエンジンにおいて、ターボチャージャーのコンプレッサにおいて異音が発生するのを低コストで抑制する。【解決手段】エンジン１は、ターボチャージャー１４と、低圧ＥＧＲ装置４４と、ＥＣＵ６０とを備える。低圧ＥＧＲ装置４４は、ターボチャージャー１４のタービン１８よりも下流の排気通路をコンプレッサ１６よりも上流の吸気通路と接続し、排気の一部を吸気通路に還流させる。ＥＣＵ６０は、所定のエンジン運転領域からエンジン回転数の低減が開始したとき、低圧ＥＧＲ装置４４を作動させる。所定のエンジン運転領域は、エンジン回転数の低減時にコンプレッサ１６において異音が生じるエンジン運転領域に基づいて設定される。【選択図】図１
2015165125.tif 000002
【特許請求の範囲】
【請求項１】
排気通路に設けられるタービンと吸気通路に設けられるコンプレッサとを含むターボチャージャーと、
前記タービンよりも下流の排気通路を前記コンプレッサよりも上流の吸気通路と接続し、排気の一部を吸気通路に還流させるための低圧ＥＧＲ装置と、
所定のエンジン運転領域からエンジン回転数の低減が開始したとき、前記低圧ＥＧＲ装置を作動させる制御装置とを備え、
前記所定のエンジン運転領域は、エンジン回転数の低減時に前記コンプレッサにおいて異音が生じるエンジン運転領域に基づいて設定される、エンジン。
【請求項２】
前記排気通路において前記低圧ＥＧＲ装置が接続される箇所よりも下流の排気通路に設けられる排気絞り弁をさらに備え、
前記制御装置は、前記所定のエンジン運転領域からエンジン回転数の低減が開始したとき、さらに前記排気絞り弁を閉方向に制御する、請求項１に記載のエンジン。
【請求項３】
前記所定のエンジン運転領域は、エンジン回転数が相対的に低く、かつ、燃料噴射量が相対的に多い領域を含む、請求項１または２に記載のエンジン。
【請求項４】
前記所定のエンジン運転領域は、エンジン回転数が相対的に低く、かつ、エンジントルクが相対的に大きい領域を含む、請求項１または２に記載のエンジン。
【請求項５】
前記制御装置は、前記所定のエンジン運転領域においてアクセルペダルがオフ操作されたときに、前記低圧ＥＧＲ装置を作動させる、請求項１から４のいずれか１項に記載のエンジン。
【請求項６】
前記エンジンは、ディーゼルエンジンである、請求項１から５のいずれか１項に記載のエンジン。
【請求項７】
エンジンの制御方法であって、
前記エンジンは、
排気通路に設けられるタービンと吸気通路に設けられるコンプレッサとを含むターボチャージャーと、
前記タービンよりも下流の排気通路を前記コンプレッサよりも上流の吸気通路と接続し、排気の一部を吸気通路に還流させるための低圧ＥＧＲ装置とを備え、
前記制御方法は、
エンジンの動作点が所定のエンジン運転領域に含まれているか否かを判定するステップと、
エンジン回転数の低減が開始したか否かを判定するステップと、
エンジンの動作点が前記所定のエンジン運転領域に含まれていると判定され、かつ、エンジン回転数の低減が開始したと判定されたとき、前記低圧ＥＧＲ装置を作動させるステップとを含み、
前記所定のエンジン運転領域は、エンジン回転数の低減時に前記コンプレッサにおいて異音が生じるエンジン運転領域に基づいて設定される、エンジンの制御方法。
【発明の詳細な説明】
【技術分野】
【０００１】
この発明は、エンジンおよびエンジンの制御方法に関し、特に、ターボチャージャーを備えるエンジンに関する。
【背景技術】
【０００２】
エンジンからの排気の一部を吸気通路に還流させるためのＥＧＲ（Exhaust  Gas  Recirculation）装置を備えるエンジンが知られている。さらに、ターボチャージャーを備えるエンジンにおいて、ターボチャージャーのタービンよりも下流の排気通路と、ターボチャージャーのコンプレッサよりも上流の吸気通路とを接続する低圧ＥＧＲ装置（「ＬＰＬ（Low  Pressure  Loop）−ＥＧＲ」とも称される。）が知られている（たとえば、特許文献１，２参照）。
【０００３】
そして、特許文献１には、車両の減速時、エンジンの燃料カット時、またはエンジンのアイドル運転時に、低圧ＥＧＲ装置を作動させることが開示されている。さらに、低圧ＥＧＲ装置を作動させるとともに排気絞り弁を作動させてＥＧＲガスの流速を上昇させることが開示されている。これにより、ＥＧＲ通路に付着したデポジットを確実に掃気することができるとされる（特許文献１参照）。
【先行技術文献】
【特許文献】
【０００４】
【特許文献１】特開２００７−２９１９７３号公報
【特許文献２】特開２００７−２９１９７４号公報
【発明の概要】
【発明が解決しようとする課題】
【０００５】
ターボチャージャーを備えるエンジンにおいては、アクセルペダルを踏込状態からオフ方向に操作すると、ターボチャージャーのコンプレッサによって圧縮された空気が逆流してコンプレッサを通過する際に異音（吹き返し音）が発生する。そして、この異音が吸気口からフェンダー内などを伝って車室内に伝達し得る。
【０００６】
上記の異音が発生するか否かは、エンジンの運転状態によって決定され、吸入空気量と、コンプレッサ上流の吸気負圧に対するコンプレッサ下流の過給圧の比で示される圧力比（過給圧／吸気負圧）との関係において、サージングを発生し始める圧力比の限界を示すサージラインの手前に設定されたプレサージラインに基づいて決定される。つまり、同じ圧力比でコンプレッサを作動させた場合、吸入空気量がプレサージラインよりも少なくなると異音が発生する。なお、通常はターボチャージャーと車室の間に遮音材が設けられているため、コンプレッサ付近で発生した異音が車室内において感知されるか否かは、プレサージラインに対して車室の遮音効果を考慮して定められる異音発生ラインに基づいて決定される。プレサージラインおよび異音発生ラインは、実験的に定めることが可能である。
【０００７】
異音の発生原因となるコンプレッサでの逆流を抑制するために、コンプレッサの下流から上流へコンプレッサをバイパスして過給圧を逃がすための圧力逃がし弁を設けることもできるが、圧力逃がし弁を追加的に設けることはコストの増加となる。また、アクセルオフ時の燃料噴射量の減量速度を遅くすることによって燃焼状態を継続させ、ターボチャージャーの急激な回転数低下を抑制することで吸入空気量の減少を抑制することも考えられるが、この手法では車両の減速感が損なわれ得る。また、車室の遮音性能を向上させることも考えられるが、この手法もコストの増加となる。
【０００８】
この発明は、かかる課題を解決するためになされたものであり、その目的は、ターボチャージャーを備えるエンジンにおいて、ターボチャージャーのコンプレッサにおいて異音が発生するのを低コストで抑制することである。
【課題を解決するための手段】
【０００９】
この発明によれば、エンジンは、ターボチャージャーと、低圧ＥＧＲ装置と、制御装置とを備える。ターボチャージャーは、排気通路に設けられるタービンと、吸気通路に設けられるコンプレッサとを含む。低圧ＥＧＲ装置は、タービンよりも下流の排気通路をコンプレッサよりも上流の吸気通路と接続し、排気の一部を吸気通路に還流させる。制御装置は、所定のエンジン運転領域からエンジン回転数の低減が開始したとき、低圧ＥＧＲ装置を作動させる。所定のエンジン運転領域は、エンジン回転数の低減時にコンプレッサにおいて異音が生じるエンジン運転領域に基づいて設定される。
【００１０】
好ましくは、エンジンは、排気絞り弁をさらに備える。排気絞り弁は、排気通路において低圧ＥＧＲ装置が接続される箇所よりも下流の排気通路に設けられる。制御装置は、所定のエンジン運転領域からエンジン回転数の低減が開始したとき、さらに排気絞り弁を閉方向に制御する。
【００１１】
好ましくは、所定のエンジン運転領域は、エンジン回転数が相対的に低く、かつ、燃料噴射量が相対的に多い領域を含む。
【００１２】
また、好ましくは、所定のエンジン運転領域は、エンジン回転数が相対的に低く、かつ、エンジントルクが相対的に大きい領域を含む。
【００１３】
好ましくは、制御装置は、所定のエンジン運転領域においてアクセルペダルがオフ操作されたときに、低圧ＥＧＲ装置を作動させる。
【００１４】
好ましくは、エンジンは、ディーゼルエンジンである。
また、この発明によれば、制御方法は、エンジンの制御方法である。エンジンは、ターボチャージャーと、低圧ＥＧＲ装置とを備える。ターボチャージャーは、排気通路に設けられるタービンと、吸気通路に設けられるコンプレッサとを含む。低圧ＥＧＲ装置は、タービンよりも下流の排気通路をコンプレッサよりも上流の吸気通路と接続し、排気の一部を吸気通路に還流させる。そして、制御方法は、エンジンの動作点が所定のエンジン運転領域に含まれているか否かを判定するステップと、エンジン回転数の低減が開始したか否かを判定するステップと、エンジンの動作点が所定のエンジン運転領域に含まれていると判定され、かつ、エンジン回転数の低減が開始したと判定されたとき、低圧ＥＧＲ装置を作動させるステップとを含む。所定のエンジン運転領域は、エンジン回転数の低減時にコンプレッサにおいて異音が生じるエンジン運転領域に基づいて設定される。
【発明の効果】
【００１５】
この発明においては、所定のエンジン運転領域からエンジン回転数の低減が開始したときは、低圧ＥＧＲ装置が作動する。所定のエンジン運転領域は、エンジン回転数の低減時にターボチャージャーのコンプレッサにおいて異音が生じるエンジン運転領域に基づいて設定される。低圧ＥＧＲ装置が作動すると、ターボチャージャーのコンプレッサよりも上流の吸気負圧が上昇するので、吸入空気量が増加する。これにより、コンプレッサにおける異音の発生が抑制される。したがって、この発明によれば、圧力逃がし弁の設置や遮音性能の向上にコストをかけることなく、ターボチャージャーのコンプレッサにおいて異音が発生するのを低コストで抑制することができる。
【図面の簡単な説明】
【００１６】
【図１】この発明の実施の形態によるエンジンの一例として示されるディーゼルエンジンの概略構成図である。
【図２】図１に示すディーゼルエンジンの作動特性を示した図である。
【図３】吸入空気量と圧力比（過給圧／吸気負圧）との関係を示した図である。
【図４】異音が発生するエンジン運転領域を説明するための図である。
【図５】図１に示すＥＣＵにより実行される異音抑制制御を説明するためのフローチャートである。
【発明を実施するための形態】
【００１７】
以下、本発明の実施の形態について、図面を参照しながら詳細に説明する。なお、図中同一または相当部分には同一符号を付してその説明は繰返さない。
【００１８】
（エンジンの全体構成）
図１は、この発明の実施の形態によるエンジンの一例として示されるディーゼルエンジンの概略構成図である。図１を参照して、ディーゼルエンジン１は、複数の気筒２８を有する。図１では、ディーゼルエンジン１は、４つの気筒２８を有するものとして示されるが、気筒２８の数はこれに限定されるものではない。
【００１９】
ディーゼルエンジン１は、エアクリーナ１２と、ターボチャージャー１４と、インタークーラー２０と、吸気マニホールド２２と、スロットルバルブ２４と、回転数センサ２５と、温度センサ２６と、水温センサ２７とを備える。エアクリーナ１２は、吸気通路に設けられ、吸気口１０から吸入される空気に含まれる不純物を吸着することによって吸入空気を清浄する。
【００２０】
ターボチャージャー１４は、コンプレッサ１６と、タービン１８とを含む。コンプレッサ１６は、吸気通路に設けられる。タービン１８は、排気通路に設けられる。コンプレッサ１６とタービン１８とは、互いに機械的に連結されており、一体的に回転する。排気ガスを受けてタービン１８が回転し、タービン１８に連動して回転するコンプレッサ１６によって吸入空気が加圧される。
【００２１】
インタークーラー２０は、ターボチャージャー１４（コンプレッサ１６）と吸気マニホールド２２との間に設けられる。インタークーラー２０は、コンプレッサ１６によって加圧された吸入空気を冷却する。インタークーラー２０は、空冷式であってもよいし、水冷式であってもよい。
【００２２】
スロットルバルブ２４は、吸気マニホールド２２の上流に設けられ、吸入空気量を調節する。スロットルバルブ２４は、ＥＣＵ６０によって開度が調整される。温度センサ２６は、吸気マニホールド２２に供給される吸入空気の温度を検出し、その検出値をＥＣＵ６０へ出力する。
【００２３】
各気筒２８は、複数の吸気ポートを有する。図１では、各気筒２８は、２つの吸気ポートを有するものとして示されるが、吸気ポートの数はこれに限定されるものではない。また、各気筒２８は、複数の排気ポートを有する。図１では、各気筒２８は、２つの排気ポートを有するものとして示されるが、排気ポートの数もこれに限定されるものではない。
【００２４】
また、各気筒２８には、２つの吸気ポートの一方に、スワールコントロールバルブ（ＳＣＶ）３０が設けられている。スワールコントロールバルブ３０は、スワールコントロールバルブ３０が設けられた吸気ポートの空気流量を絞ることにより吸気ポート間の空気流量に差を設けることによって、燃焼室７８内にスワール流（渦巻き状の流れ）を発生させるためのものである。スワール流を発生させることにより燃焼状態を良好にすることができる。なお、スワールコントロールバルブ３０は、後述のＥＧＲ装置が設けられることにより緩慢になり得る燃焼を改善する装置として有用であるが、必須のものではなく、省略することも可能である。
【００２５】
ディーゼルエンジン１は、さらに、排気マニホールド３２と、排気フィルタ３４と、ＥＧＲ通路３８と、ＥＧＲバルブ４０と、ＥＧＲクーラー４２と、低圧ＥＧＲ装置４４と、排気絞り弁５２とを備える。
【００２６】
ターボチャージャー１４のタービン１８は、排気マニホールド３２の下流に設けられ、排気通路の断面積が絞られることによって流速を増した排気ガスをブレードに受けて回転する。排気フィルタ３４は、ターボチャージャー１４（タービン１８）の下流に設けられ、排気ガス中の粒子状物質を捕捉する。なお、触媒を用いて排気ガスを浄化する触媒装置を排気フィルタ３４と組み合わせてもよい。
【００２７】
ＥＧＲ通路３８は、排気マニホールド３２を吸気マニホールド２２と接続し、排気マニホールド３２から吸気マニホールド２２へ排気ガスの一部を還流させる。ＥＧＲバルブ４０は、ＥＧＲ通路３８に設けられ、ＥＣＵ６０によって開度が調整される。ＥＧＲクーラー４２は、ＥＧＲ通路３８に設けられ、ＥＧＲ通路３８を通じて吸気マニホールド２２へ還流される排気ガスを冷却する。
【００２８】
低圧ＥＧＲ装置４４は、低圧ＥＧＲ通路４６と、ＥＧＲクーラー４８と、低圧ＥＧＲバルブ５０とを含む。低圧ＥＧＲ通路４６は、排気フィルタ３４よりも下流（すなわち、ターボチャージャー１４のタービン１８よりも下流）の排気通路を、ターボチャージャー１４のコンプレッサ１６よりも上流の吸気通路と接続し、排気フィルタ３４の下流からコンプレッサ１６の上流へ排気ガスの一部を還流させる。ＥＧＲクーラー４８は、低圧ＥＧＲ通路４６に設けられ、低圧ＥＧＲ通路４６を通じて吸気通路へ還流される排気ガスを冷却する。低圧ＥＧＲバルブ５０は、低圧ＥＧＲ通路４６に設けられ、ＥＣＵ６０によって開度が調整される。
【００２９】
この低圧ＥＧＲ装置４４は、ＥＧＲ通路３８と、ＥＧＲバルブ４０と、ＥＧＲクーラー４２とによって構成されるＥＧＲ装置（低圧ＥＧＲ装置４４に対して「高圧ＥＧＲ装置」とも称される。）よりも低温かつ大量の排気循環を可能とする。低圧ＥＧＲ装置４４と高圧ＥＧＲ装置とを併用することによって、効果的なＮＯｘ低減を実現することができる。
【００３０】
排気絞り弁５２は、排気通路において低圧ＥＧＲ装置４４が接続される箇所よりも下流の排気通路３６に設けられる。この排気絞り弁５２は、必須のものではないが、低圧ＥＧＲ装置４４の作動時に排気絞り弁５２を絞ることによって、低圧ＥＧＲ通路４６を通じて排気ガスを効率的に吸気通路へ還流させることができる。
【００３１】
ディーゼルエンジン１は、さらに、ＥＣＵ（Electronic  Control  Unit）６０を備える。ＥＣＵ６０は、ＣＰＵ（Central  Processing  Unit）や、記憶装置、入出力バッファ等（いずれも図示せず）を含む。ＥＣＵ６０は、回転数センサ２５により検出されるエンジン回転数、水温センサ２７により検出されるエンジン冷却水温、アクセル開度ＡＣＣ、大気圧Ｐ、外気温度Ｔ、温度センサ２６により検出される吸気温度等の各信号を入力する。そして、ＥＣＵ６０は、それらの各信号に基づいて、ディーゼルエンジン１の各機器の制御を行なう。一例として、ＥＣＵ６０は、車両の走行状況に応じてディーゼルエンジン１が所望の動作点で運転されるように、各種バルブの開度、燃料噴射時期、燃料噴射量等を制御する。また、ＥＣＵ６０は、エンジン回転数の低減時にターボチャージャー１４のコンプレッサ１６において発生し得る異音を抑制するための制御を実行する。なお、ＥＣＵ６０によって実行される各種制御（処理）については、ソフトウェアによる処理に限られず、専用のハードウェア（電子回路）によって処理することも可能である。
【００３２】
（異音発生の説明）
図２は、図１に示したディーゼルエンジン１の作動特性を示した図である。図２を参照して、時刻ｔ１において、アクセルペダルが踏込まれると、燃料噴射量が増加し、トルクが増加することによってエンジン回転数が上昇する。エンジン回転数の上昇とともに吸入空気量が増加し、少し遅れてターボチャージャー１４による過給圧が上昇する。
【００３３】
時刻ｔ４において、アクセルペダルが戻されると（オフ操作）、燃料噴射量が減少し、トルクが減少することによってエンジン回転数が低下する。エンジン回転数の低下とともに吸入空気量が減少し、少し遅れてターボチャージャー１４による過給圧が低下する。
【００３４】
図３は、吸入空気量と圧力比（過給圧／吸気負圧）との関係を示した図である。この図３は、図２に示したディーゼルエンジン１の作動特性について、吸入空気量と圧力比との関係を示したものである。図３を参照して、点Ｐ０からアクセルペダルが踏込まれると、動作点は、図中の「加速」の矢印に沿って実線Ｗ１上を右肩上がりに推移する。点Ｐ１において、アクセルペダルがオフ操作されると（図２の時刻ｔ１に対応）、吸入空気量が減少し、動作点は、図中の「減速」の矢印に沿って実線Ｗ１上を推移する。
【００３５】
ここで、線Ｌ１は、圧力比の限界（上限）を示す「サージライン」である。線Ｌ２は、アクセルペダルのオフ操作に応じて、ターボチャージャー１４のコンプレッサ１６によって圧縮された空気が逆流してコンプレッサ１６を通過する際に異音（吹き返し音）が発生する境界線であり、「プレサージライン」である。エンジン回転数の低減時に動作点がプレサージラインＬ２を超えると（プレサージラインＬ２の左側に達すると）、コンプレッサ１６において上記の異音が発生する。
【００３６】
線Ｌ３は、コンプレッサ１６において発生した異音が車室内で聞こえる境界線であり、「異音発生ライン」である。この異音発生ラインＬ３は、プレサージラインＬ２に車室の遮音効果を考慮したものであり、エンジン回転数の低減時に動作点が異音発生ラインＬ３を超えると（異音発生ラインＬ３の左側に達すると）、コンプレッサ１６において発生した異音が車室内で感知される。
【００３７】
動作点が異音発生ラインＬ３を超えるか否かは、エンジン回転数の低減が開始する点、すなわちアクセルペダルがオフ操作された点（図の点Ｐ１）に依存する。具体的には、アクセルペダルの踏込が相対的に小さい状態（低負荷領域）でアクセルペダルがオフ操作される場合は、吸入空気量も過給圧（圧力比）も小さいので、動作点は異音発生ラインＬ３を超えない。
【００３８】
また、エンジン回転数が高回転になると、ターボチャージャー１４による過給圧が上限にかかるので、図３に示される作動線は、右方向に引き伸ばしたような曲線となる（吸入空気量は増加するが圧力比が上昇しないため）。すなわち、エンジン回転数が高回転の状態（高回転領域）でアクセルペダルがオフ操作される場合は、作動線が異音発生ラインＬ３から離れるので、異音は発生しにくい。これらのことから、ディーゼルエンジン１の動作点が高負荷かつ低回転の領域に含まれる場合にエンジン回転数の低減が開始すると、ディーゼルエンジン１の動作点が異音発生ラインＬ３を超え得る。
【００３９】
そこで、この実施の形態では、エンジン回転数の低減時に動作点が異音発生ラインＬ３を超え得るようなエンジン運転領域においてアクセルペダルのオフ操作が行なわれた場合には（点Ｐ１）、低圧ＥＧＲ装置４４を作動させる。図１に示したように、低圧ＥＧＲ装置４４は、ターボチャージャー１４のコンプレッサ１６よりも上流の吸気通路に接続されているので、低圧ＥＧＲ装置４４を作動させると、コンプレッサ１６の上流の吸気負圧が上昇することにより吸入空気量が増加する。すなわち、低圧ＥＧＲ装置４４を作動させると、矢印で示されるように、減速時の作動線が右方向に推移するので、動作点が異音発生ラインＬ３を超えるのを抑制することができる。
【００４０】
図４は、異音が発生するエンジン運転領域を説明するための図である。図４を参照して、横軸は、エンジン回転数を示し、縦軸は、燃料噴射量を示す。なお、燃料噴射量は、ディーゼルエンジン１のトルクと相関があり、縦軸は、ディーゼルエンジン１のトルクとしてもよい。曲線ＬＤは、ディーゼルエンジン１の全負荷（エンジン回転数に対応する最大トルク点）を示す。
【００４１】
斜線で示される領域Ｓは、この領域内からエンジン回転数の低減が開始されると、ターボチャージャー１４のコンプレッサ１６において発生した異音が車室内で感知される運転領域である（異音発生領域）。この異音発生領域Ｓは、実験により求めて設定することができる。異音発生領域Ｓが高負荷低回転領域（燃料噴射量が相対的に多く（トルクが相対的に大きく）エンジン回転数が相対的に低い領域）に限定されるのは、概略的には以下のように説明される。すなわち、上述のように、低負荷領域は、アクセルペダルの踏込が少ない領域であって、図３に示した作動線は、異音発生ラインＬ３に達しない。一方、高回転領域では、吸入空気量が増加してもターボチャージャー１４の過給圧が上限にかかり、圧力比が上昇しないので、図３に示した作動線は、右側にシフトして異音発生ラインＬ３から離れた曲線になる。したがって、低負荷領域または高回転領域では、作動線が異音発生ラインＬ３を超えず、異音は発生しない。
【００４２】
図５は、図１に示したＥＣＵ６０により実行される異音抑制制御を説明するためのフローチャートである。このフローチャートは、ＥＣＵ６０に予め格納されたプログラムを所定周期で実行することによって実現される。あるいは、一部のステップについては、専用のハードウェア（電子回路）を構築して処理を実現することも可能である。
【００４３】
図５を参照して、ＥＣＵ６０は、ディーゼルエンジン１の動作点が、図４の斜線で示される異音発生領域Ｓ内にあるか否かを判定する（ステップＳ１０）。動作点が異音発生領域Ｓ内にあると判定されると（ステップＳ１０においてＹＥＳ）、ＥＣＵ６０は、減速判定が成立したか否かを判定する（ステップＳ２０）。すなわち、このステップＳ２０では、エンジン回転数が低減していると判断できるか否かが判定される。一例として、アクセルペダルの踏込量に対応するアクセル開度ＡＣＣが０％（アクセルオフ）のとき、あるいは、アクセル開度ＡＣＣの変化率（アクセル開度増加時を正値とする。）が所定値（負値）よりも小さいときに、減速判定が成立したものと判定される。
【００４４】
減速判定が成立すると（ステップＳ２０においてＹＥＳ）、ＥＣＵ６０は、低圧ＥＧＲ装置４４を作動させるとともに、排気絞り弁５２を閉状態にする（ステップＳ３０）。なお、低圧ＥＧＲ装置４４を作動させるとは、低圧ＥＧＲバルブ５０（図１）を開状態にすることであり、開状態とは、全開や半開等、全閉でない種々の開度を含む。また、排気絞り弁５２の閉状態とは、全閉や半開等、全開でない種々の開度を含む。なお、上述のように、排気絞り弁５２は、必須のものではないが、低圧ＥＧＲ装置４４の作動とともに排気絞り弁５２を閉状態にすることによって、低圧ＥＧＲ通路４６を通じて排気ガスを効率的に吸気通路へ還流させることができる。
【００４５】
次いで、ＥＣＵ６０は、減速が終了したか否かを判定する（ステップＳ４０）。すなわち、このステップＳ４０では、エンジン回転数の低減が終了したか否かが判定される。減速が継続しているときは（ステップＳ４０においてＮＯ）、ステップＳ３０へ処理が戻され、低圧ＥＧＲ装置４４の作動および排気絞り弁５２の閉状態が維持される。そして、ステップＳ４０において減速が終了したものと判定されると（ステップＳ４０においてＹＥＳ）、ステップＳ７０へ処理が移行される。
【００４６】
なお、ステップＳ１０においてディーゼルエンジン１の動作点が異音発生領域Ｓ外であると判定されたとき（ステップＳ１０においてＮＯ）、または、ステップＳ２０において減速判定が非成立であると判定されると（ステップＳ２０においてＮＯ）、ＥＣＵ６０は、低圧ＥＧＲ装置４４の作動条件が成立しているか否かを判定する（ステップＳ５０）。一例として、エンジン回転数および燃料噴射量が所定の運転領域に含まれ、かつ、エンジン水温、吸気温度および外気温度Ｔの各々が所定範囲に含まれる場合に、低圧ＥＧＲ装置４４の作動条件が成立する。
【００４７】
そして、ステップＳ５０において、低圧ＥＧＲ装置４４の作動条件が成立しているものと判定されると（ステップＳ５０においてＹＥＳ）、ＥＣＵ６０は、低圧ＥＧＲ装置４４を所定の制御ロジックに従って制御する（ステップＳ６０）。
【００４８】
以上のように、この実施の形態においては、所定の異音発生領域Ｓ（図４）からエンジン回転数の低減が開始したときは、低圧ＥＧＲ装置４４が作動する。異音発生領域は、エンジン回転数の低減時に、ターボチャージャー１４のコンプレッサ１６において発生する異音が車室内で感知されるエンジン運転領域である。この異音発生領域は、エンジン回転数の低減時に、コンプレッサ１６において異音が生じるエンジン運転領域に基づいて設定される。低圧ＥＧＲ装置４４が作動すると、コンプレッサ１６よりも上流の吸気負圧が上昇するので、吸入空気量が増加する。これにより、コンプレッサ１６における異音の発生が抑制される。したがって、この実施の形態によれば、圧力逃がし弁の設置や遮音性能の向上にコストをかけることなく、ターボチャージャー１４のコンプレッサ１６において異音が発生するのを低コストで抑制することができる。
【００４９】
なお、上記の実施の形態においては、エンジンは、ディーゼルエンジンであるものとしたが、エンジンは、必ずしもディーゼルエンジンに限定されるものではなく、ガソリンエンジンも含み得る。なお、ガソリンエンジンでは、スロットルバルブの閉動作時に過剰となる過給圧を逃がすための圧力逃がし弁が一般的に設けられており、この発明は、そのような圧力逃がし弁が一般的に設けられていないディーゼルエンジンにおいて好適である。
【００５０】
また、上記においては、図４に示した異音発生領域は、ターボチャージャー１４のコンプレッサ１６において発生した異音が車室内で感知される運転領域としたが、コンプレッサ１６において異音そのものが発生する運転領域として定義してもよい。
【００５１】
今回開示された実施の形態は、すべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【符号の説明】
【００５２】
１  ディーゼルエンジン、１０  吸気口、１２  エアクリーナ、１４  ターボチャージャー、１６  コンプレッサ、１８  タービン、２０  インタークーラー、２２  吸気マニホールド、２４  スロットルバルブ、２５  回転数センサ、２６  温度センサ、２７  水温センサ、２８  気筒、３０  スワールコントロールバルブ、３２  排気マニホールド、３４  排気フィルタ、３６  排気通路、３８  ＥＧＲ通路、４０  ＥＧＲバルブ、４２，４８  ＥＧＲクーラー、４４  低圧ＥＧＲ装置、４６  低圧ＥＧＲ通路、５０  低圧ＥＧＲバルブ、５２  排気絞り弁、６０  ＥＣＵ。
【図１】
2015165125.tif 000003
【図２】
2015165125.tif 000004
【図３】
2015165125.tif 000005
【図４】
2015165125.tif 000006
【図５】
2015165125.tif 000007